(57)【要約】      （修正有）【課題】低負荷で三脚を運搬することができ使用者への負荷を軽減することができるバックパックを提供する。【解決手段】三脚１０２を運搬可能なバックパック１において、収納本体部と、収納本体部の上部に一端が固定された一対のショルダストラップ３１と、一対のショルダストラップ３１のそれぞれが使用者から後方に向けて延出し三脚１０２を収納本体部の後方で且つ収納本体部の幅方向の中央にて抱えるように互いが締結される三脚固定用ベルト４１、４２とを具備する。【選択図】図３
0003207460.tif 000002
【実用新案登録請求の範囲】
【請求項１】
三脚を運搬可能なバックパックにおいて、
収納本体部と、
上記収納本体部の上部に一端が固定された一対のショルダストラップと、
上記一対のショルダストラップのそれぞれが使用者から後方に向けて延出し上記三脚を上記収納本体部の後方で、且つ上記収納本体部の幅方向の中央にて抱えるように互いが締結される三脚固定用ベルトと、
を具備することを特徴としたバックパック。
【請求項２】
上記収納本体部の上部には、さらにサブバッグが固設されており、
上記三脚固定用ベルトは、上記サブバッグの内部から外部に向けて延出するように設けられていることを特徴とした請求項１記載のバックパック。
【請求項３】
上記収納本体部の上部から両側面部に亘って固定された補強ベルトを、さらに具備し、
上記三脚固定用ベルトの一部は、上記補強ベルトの一部と交差して設けられ、
上記三脚固定用ベルトの一部と上記補強ベルトの一部とは、上記交差する部分において互いが固定されていることを特徴とした請求項１又は請求項２記載のバックパック。
【請求項４】
上記収納本体部は、下方の外部に三脚を受けるための袋状部材が固設されていることを特徴とした請求項１〜請求項３のいずれか一つに記載のバックパック。
【請求項５】
上記収納本体部の上部には、さらに手提げ用把手ベルトが固設されており、
上記手提げ用把手ベルトは、上記補強ベルトに固定されていることを特徴とする請求項３に記載のバックパック。
【考案の詳細な説明】
【技術分野】
【０００１】
本考案は、写真撮影に用いる三脚を取り付けて運搬できるバックパックに関するものである。
【背景技術】
【０００２】
従来、写真撮影等に用いるための各種の撮影用機材、例えばカメラやレンズ等のほか各種のアクセサリ類を収納すると共に、三脚等の重量物を収納したり若しくは本体部の外面に取り付けて運搬することができるように形成されたバッグは、種々の形態のものが提案され、また実用化されている。
【０００３】
このうち、ショルダストラップを有し、使用者（ユーザ）が背負う形態で使用するバックパックについては、例えば実用新案登録第３０５２７３８号公報（特許文献１）等によって、種々の形態のものが提案されている。
【０００４】
上記実用新案登録第３０５２７３８号公報（特許文献１）等によって開示されているバックパックは、本体部の一側面に樹脂製の三脚ケースを固定して構成されている。
【先行技術文献】
【特許文献】
【０００５】
【特許文献１】実用新案登録第３０５２７３８号公報
【考案の概要】
【考案が解決しようとする課題】
【０００６】
ところが、上記実用新案登録第３０５２７３８号公報（特許文献１）等によって開示されているバックパックによれば、重量のある三脚を収納した三脚ケースがバックパックを背負う使用者の身体の軸中心に対して偏った位置に配置されている。このような構成では、使用者が当該バックパックを背負って歩行する際に、使用者の動きに対して、バックパック自体が不規則に揺れてしまうことになる。この場合、使用者に対して、大きなモーメント荷重の負荷がかかってしまうという問題点がある。
【０００７】
本考案は、上述した点に鑑みてなされたものであって、その目的とするところは、三脚を運搬可能なバックパックであって、低負荷で三脚を運搬することのでき、使用者への負荷を軽減することのできる構成を備えたバックパックを提供することである。
【課題を解決するための手段】
【０００８】
上記目的を達成するために、本発明の一態様のバックパックは、三脚を運搬可能なバックパックにおいて、収納本体部と、上記収納本体部の上部に一端が固定された一対のショルダストラップと、上記一対のショルダストラップのそれぞれが使用者から後方に向けて延出し上記三脚を上記収納本体部の後方で、且つ上記収納本体部の幅方向の中央にて抱えるように互いが締結される三脚固定用ベルトとを具備する。
【考案の効果】
【０００９】
本考案によれば、三脚を運搬可能なバックパックであって、低負荷で三脚を運搬することのでき、使用者への負荷を軽減することのできる構成を備えたバックパックを提供することができる。
【図面の簡単な説明】
【００１０】
【図１】本考案の一実施形態のバックパックの外観を示す外観斜視図
【図２】図１のバックパックの前部の外観を示す外観平面図
【図３】図１のバックパックの所定の位置に三脚を取り付けた状態を簡略化して示す外観斜視図
【図４】図１のバックパックの開口（スライドファスナー）を全開状態とし、蓋部を開位置に配置したときのようすを示す外観斜視図
【図５】図１のバックパックにおいて、収納本体部の内部にカメラ等を収納固定した状態のバックパックを使用者が背負っている状態を示す概念図
【図６】図５の側面からみたようすを示す概念図
【図７】図１のバックパックにおいて、蓋部と収納本体部とのスライドファスナーが破損した際のようすを示す概念図
【図８】図７のバックパックにおいて、蓋部と収納本体部とのスライドファスナーが破損した場合に、サイドコンプレッションベルトと第２三脚固定用ベルトとを用いて蓋部の閉位置を維持しているようすを示す概念図
【考案を実施するための形態】
【００１１】
以下、図示の実施の形態によって本考案を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本考案は、各図面に記載された各構成要素の数量や各構成要素の形状や各構成要素の大きさの比率や各構成要素の相対的な位置関係等に関して、図示の形態のみに限定されるものではない。
【００１２】
まず、本考案の一実施形態のバックパックの全体構成を、以下に説明する。図１は、本考案の一実施形態のバックパックの外観を示す外観斜視図である。図２は、本実施形態のバックパックの前部の外観を示す外観平面図である。なお、図１，図２においては、三脚固定用の複数のベルト及び三脚受用袋状部材のそれぞれを、各収納部位から引き出した状態（使用時の状態）を示している（詳細後述）。図３は、本実施形態のバックパックの所定の位置に三脚を取り付けた状態を簡略化して示す外観斜視図である。
【００１３】
本実施形態のバックパックにおける通常使用時の姿勢、即ち使用者（ユーザ）が当該バックパックを背負ったときのバックパックの姿勢を図１に示す。以下の説明において、本実施形態のバックパックの上下左右をいうとき、当該バックパックが図１に示す通常使用姿勢にあるときに、以下のように定義する。
【００１４】
即ち、本実施形態のバックパックが図１に示す通常使用姿勢にあるとき、当該バックパックの上側を上部といい、下側を下部若しくは底部というものとする。また、使用者の背中に対向する側を背面部といい、この背面部に対向し外面に露呈される側を前部というものとする。つまり、上記前部は、このバックパックを背負う使用者の背面後方側と言え、また、該前部は後方面とも言える。そして、当該バックパックの通常使用姿勢にあるとき、使用者の右手側を右側とし、同状態での左手側を左側というものとする。換言すると、通常使用姿勢にあるバックパックを前部に対面して見たときの右手側を右側とし、左手側を左側というものとする。
【００１５】
図１に示すように、本実施形態のバックパック１は、使用者が背中に背負う形態で使用する収納具（バッグ）である。なお、本実施形態のバックパック１は、写真撮影に用いる三脚１０２（図３参照）を取り付けて運搬できるように構成されているものである。当該バックパック１に三脚１０２を取り付けるための詳細な構成は後述する。
【００１６】
当該バックパック１は、収納物を収納するための収納空間（図１では不図示；後述する図４の符号２参照）と、この収納空間２の開口（図１では不図示；後述する図４の符号３参照）とを有する収納本体部１１と、当該収納本体部１１の開口３（図４参照）を開閉するための蓋部１２とを具備している。これら収納本体部１１と蓋部１２とは全体が、例えばナイロン素材等を用いて形成されている。
【００１７】
上記収納本体部１１と上記蓋部１２とは、スライドファスナー（２１，２２）により開閉することができるように構成されている。即ち、収納本体部１１に対し蓋部１２を開閉するために、上記開口３（図４参照）の周縁と、上記蓋部１２の周縁とには、それぞれにスライドファスナー（２１，２２）となる務歯列が設けられている。
【００１８】
ここで、図１において符号２１で示すスライドファスナー務歯列を本体側スライドファスナー２１というものとする。また、同様に、図１において符号２２で示すスライドファスナー務歯列を蓋側スライドファスナー２２というものとする。
【００１９】
本実施形態のバックパック１の上部の外面には、上部サブバッグ１３が設けられている。この上部サブバッグ１３は、二つの内部空間（第１三脚固定用ベルト収納部及び小物収納部）を形成している。そのために、当該上部サブバッグ１３は、前部側に向けた開口を開閉する上部サブバッグ用第１スライドファスナー２３ａと、背面側から両側面に亘る開口を開閉する上部サブバッグ用第２スライドファスナー２３ｂ（図１参照；図２には不図示）とを有している。
【００２０】
ここで、上記上部サブバッグ用第１スライドファスナー２３ａを開状態として形成される開口内部の第１三脚固定用ベルト収納部（不図示）には、第１三脚固定用ベルト４１が収納されている。図１，図２では、上部サブバッグ用第１スライドファスナー２３ａが開状態とされて、第１三脚固定用ベルト４１が第１三脚固定用ベルト収納部（不図示）から引き出された状態を示している。
【００２１】
上記第１三脚固定用ベルト４１は、上部サブバッグ１３の内部から外部の前部に向けて延出するように設けられている。上記第１三脚固定用ベルト４１は、一対設けられていて、各第１三脚固定用ベルト４１の端部には、バックル（雄）４１ａ，バックル（雌）４１ｂが固設されている。これらバックル（雄）４１ａ，バックル（雌）４１ｂは、互いが係合することで上記一対の第１三脚固定用ベルト４１の各端部を連結する役目をしている。なお、上記第１三脚固定用ベルト４１は、例えばナイロン素材等を用いたベルト状部材で形成されている。
【００２２】
また、上記上部サブバッグ用第２スライドファスナー２３ｂを開状態として形成される開口内部の小物収納部（不図示）は、例えばペンやその他の小物等の携行品（不図示）を収納し得る空間となっている。なお、上記第１三脚固定用ベルト収納部と、小物収納部とは、それぞれが上部サブバッグ１３の内部で隔てられ、それぞれが独立した空間として形成されている。
【００２３】
上記バックパック１の上部側には、背面寄りの部位から上部に向けて延出し、両端が上記バックパック１の上部の外面に縫い付けられてループ状を形成している手提げ用把手ベルト３３が設けられている。手提げ用把手ベルト３３は、使用者が図１に示す通常使用姿勢を保持しつつ手に下げて移動する際に使用される把手部である。
【００２４】
本実施形態のバックパック１の前部の外面には、フロントポケット１４が設けられている。このフロントポケット１４は、小物等の携行品（不図示）を収納し得る空間である。当該フロントポケット１４は、フロントポケット用スライドファスナー２４（図１参照；図２には不図示）によって上部側から両側面に亘って開口し得るように構成されている。
【００２５】
さらに、上記フロントポケット１４の前部の外面において略中央部分には、第２三脚固定用ベルト収納部１５が設けられている。この第２三脚固定用ベルト収納部１５には、複数の第２三脚固定用ベルト４２が収納されている。
そのために、当該第２三脚固定用ベルト収納部１５には、両側面に向けた各開口を開閉するための第２三脚固定用ベルト収納部用スライドファスナー２５が、両側面に設けられている。図１，図２では、第２三脚固定用ベルト収納部用スライドファスナー２５が開状態とされて、複数の第２三脚固定用ベルト４２が第２三脚固定用ベルト収納部１５から引き出された状態を示している。
【００２６】
上記複数の第２三脚固定用ベルト４２は、上記第２三脚固定用ベルト収納部１５の内部から両側方に向けて延出するように設けられている。本実施形態においては、上記複数の第２三脚固定用ベルト４２としては、第２三脚固定用ベルト収納部１５の上部から底部に向けて所定の間隔を置いて二つ設けられている。各第２三脚固定用ベルト４２は、一対のナイロン素材等を用いたベルト状部材と、この一対のベルト状部材のそれぞれの端部に固設されたバックル（雄）４２ａ，バックル（雌）４２ｂとによって構成されている。これらバックル（雄）４２ａ，バックル（雌）４２ｂは、互いが係合することで上記各対の第２三脚固定用ベルト４２の各端部を連結する役目をする締結部材である。
【００２７】
本実施形態のバックパック１の左側面には、上部寄りに左サイドポケット１６が設けられ、下側寄りに左サイド開口蓋部１７（図２には不図示；図１参照）が設けられている。上記左サイドポケット１６は、小物等の携行品（不図示）を収納し得る空間である。当該左サイドポケット１６は、左サイドポケット用スライドファスナー２６（図２には不図示；図１参照）によって上部から前部の一部に亘って開口し得るように構成されている。
【００２８】
上記左サイド開口蓋部１７は、上記収納本体部１１の側面の一部に設けられる開口を覆う蓋部材である。当該左サイド開口蓋部１７は、左サイド開口用スライドファスナー２７（図２には不図示；図１参照）によって、上側から背面を経て下部に亘って開口を開閉し得るように構成されている。この左サイド開口蓋部１７は、収納本体部１１の収納空間２（図４参照）に収納された収納物を、上記蓋部１２を開状態とせずに取り出すことができるようにするために設けられた開口を覆う蓋部である。
【００２９】
なお、上記左サイド開口蓋部１７の外面には、網ポケット１７ａが設けられている。この網ポケット１７ａは、上側に開口を有し、例えばペットボトル等の飲料容器を収納し得るように構成されている。
【００３０】
また、本実施形態のバックパック１の右側面には、下側寄りの部位に右側網ポケット１７ｂ（図１には不図示；図２参照）が設けられている。この右側網ポケット１７ｂは、上記網ポケット１７ａと略同形態に形成されているものである。
【００３１】
本実施形態のバックパック１の両側面のそれぞれには、やや上部寄りの所定の部位に、サイドコンプレッションベルト４４（図２には不図示；図１参照）が設けられている。このサイドコンプレッションベルト４４は、収納本体部１１の収納状況に応じて、当該バックパック１の背面と前部との間の間隔を調整するための調整用ベルト部材である。なお、図１には、左側面に設けられたサイドコンプレッションベルト４４のみが図示されている（右側面は不図示）。また、図２では、サイドコンプレッションベルト４４の図示は省略されている。
【００３２】
サイドコンプレッションベルト４４は、図１に示すように、一対のベルト状部材と、当該一対のベルト状部材の端部同士を連結する一対のバックル（雄）４４ａ，バックル（雌）４４ｂによって形成されている。
【００３３】
上記一対のベルト状部材のうち一方のベルト状部材の一端は、収納本体部１１の背面側縁部に縫い付けられて固設され、他方のベルト４４の一端は、収納本体部１１の前部側縁部に縫い付けられて固設されている。
【００３４】
また、上記一対のベルト状部材のうち一方のベルト状部材の他端は、バックル（雄）４４ａが固設されており、他方のベルト状部材の他端は、バックル（雌）４４ｂが固設されている。なお、上記サイドコンプレッションベルト４４も、例えばナイロン素材等を用いたベルト状部材で形成されている。
【００３５】
本実施形態のバックパック１の背面側には、収納本体部１１の上部の縁部（一端）から下部の縁部との間に掛け渡されるように一対のショルダストラップ３１が設けられている。この一対のショルダストラップ３１のそれぞれにはトップスタビライザ３２が設けられている。また、一対のショルダストラップ３１の中程には、チェスト（chest）ベルト３４が設けられている。
【００３６】
そして、バックパック１の背面側の下部の縁部からは、一対のウエスト（waist）ベルト３５が背面側に向けて延出している。つまり、使用者に向かって延出している。上記トップスタビライザ３２，チェストベルト３４，ウエストベルト３５は、使用者の身体にかかるバッグの荷重を調整するために設けられている補助ベルトである。そのために、これらショルダストラップ３１，トップスタビライザ３２，チェストベルト３４，ウエストベルト３５（これらを総称してベルト類という）は、長さ調節用の調整具や連結用のバックル等（これらを総称してバックル等という）を有して構成される。これらのベルト類は、従来の一般的なバックパック等の収納具において適用されるものと同様のものが用いられているものとして、その詳細構成の説明及び図示は省略する。なお、上記ベルト類は、例えばナイロン素材等を用いたベルト状部材で形成されている。また、上記バックル等は、例えば樹脂製の成形部品が用いられる。
【００３７】
本実施形態のバックパック１の底面側には、底部ポケット１８（図１には不図示；図２参照）が設けられている。この底部ポケット１８は、二つの内部空間（三脚受用袋収納部及びカバー収納部；不図示）を形成している。そのために、当該底部ポケット１８は、前面側に向けた開口（三脚受用袋収納部）を開閉するスライドファスナー１８ｂ（図１には不図示；図２参照）及び背面側に向けた開口（カバー収納部）を開閉するスライドファスナー（不図示）とを有している。
【００３８】
上記三脚受用袋収納部（不図示）には、三脚受用袋状部材４５が収納されている。図１，図２では、スライドファスナー１８ｂが開状態とされて、三脚受用袋状部材４５が底部ポケット１８の三脚受用袋収納部（不図示）から引き出された状態を示している。三脚受用袋状部材４５は、収納本体部１１の幅方向、即ち左右方向の中央でかつ底部に位置している。
【００３９】
また、図示は省略しているが、上記底部ポケット１８のカバー収納部は、当該バックパック１の外面全体を覆うカバー部材（不図示）やその他の携行品（不図示）を収納し得る空間である。なお、三脚受用袋収納部とカバー収納部とは、それぞれが底部ポケット１８の内部で隔てられ、それぞれが独立した空間として形成されている。
【００４０】
また、上記底部ポケット１８の底面側の外面には、複数のゴム足１８ａ（図１には不図示；図２参照）が設けられている。この複数のゴム足１８ａは、当該バックパック１を図１に示す通常使用姿勢を保持させた状態で地面等に載置する際に、バックパック１の安定性を確保するために設けられた部材である。本実施形態においては、上記複数のゴム足１８ａを三つ設けた例を示している（図１では不図示；図２参照）。
【００４１】
そして、本実施形態のバックパック１においては、上記収納本体部１１の両側面から上面にかけて、一本のベルト状部材からなる補強ベルト４３が収納本体部１１の外面上に縫い付けられて固定されている。この補強ベルト４３は、図１，図２に示すように、例えば上記網ポケット１７ａの上部縁部から当該収納本体部１１の左側面の外面に沿って延出し、当収納本体部１１の上部の外面に沿って上部サブバッグ１３内に配設され、さらに、当該収納本体部１１の右側面の外面に沿って底部に向けて延出し、上記右側網ポケット１７ｂ内に配設され、上記収納本体部１１の底部の縁部に到達している（図２の太線参照）。簡略に説明すると、補強ベルト４３は、収納本体部１１の両側面と上面とを取り巻くように設けられている。
【００４２】
そして、上記補強ベルト４３の一部には、図３に示すように、上記一対の第１三脚固定用ベルト４１の各一端部のそれぞれと、上記手提げ用把手ベルト３３の両端部のそれぞれと、上記一対のショルダストラップ３１の上記トップスタビライザ３２の各一端部のそれぞれが、上記補強ベルト４３に対して交差するように配置されている。そして、この交差した部分（図３の符号ＣＲで示す部分）において互いが例えば縫い付けられた形態で固定されている。
【００４３】
また、一対のショルダストラップ３１の各トップスタビライザ３２のそれぞれは、前部に向けて延出して、一対の第１三脚固定用ベルト４１となっている。そして、この一対の第１三脚固定用ベルト４１は、各端部にバックル４４ａ，４４ｂが設けられ、互いに締結されることによって、三脚１０２（図３参照）を抱えることができるように構成されている。なお、本実施形態の説明では、トップスタビライザ３２を延長して第1三脚固定用ベルト４１と一体として構成しているが、必ずしも一体として構成されていなくてもよく、別部材として構成してもよい。
【００４４】
このように構成された本実施形態のバックパック１において、三脚を取り付けるための手順を簡単に説明する。まず、上部サブバッグ１３（図３では図示を省略している）の上部サブバッグ用第１スライドファスナー２３ａを開状態として、当該上部サブバッグ１３の第１三脚固定用ベルト収納部（不図示）から一対の第１三脚固定用ベルト４１を引き出す（図１，図２に示す状態とする）。
【００４５】
また、第２三脚固定用ベルト収納部１５の第２三脚固定用ベルト収納部用スライドファスナー２５を開状態として、当該第２三脚固定用ベルト収納部１５から二対の第２三脚固定用ベルト４２を引き出す（図１，図２に示す状態とする）。
【００４６】
そして、底部ポケット１８のスライドファスナー１８ｂ（図３では図示を省略している）を開状態として、底部ポケット１８の三脚受用袋収納部（不図示）から上記三脚受用袋状部材４５を引き出す（図１，図２に示す状態とする）。
【００４７】
この状態とした後、まず、三脚１０２の脚部先端を、図３に示すように、上記三脚受用袋状部材４５に収納する。この状態で、上記一対の第１三脚固定用ベルト４１を三脚１０２の頭部近傍に引き回す。そして、上記第１三脚固定用ベルト４１のバックル４１ａ，４１ｂを係合させる。これと同時に、三脚１０２の頭部がバックパック１の前部の外面に対して動かないように、即ち、収納本体部１１の外面後方で、かつ収納本体部１１の幅方向の中央にて三脚１０２を抱えるように、上記第１三脚固定用ベルト４１の長さ調節を行う。
【００４８】
続いて、上記二対の第２三脚固定用ベルト４２のそれぞれを三脚１０２の中程の部位に引き回した後、二対の第２三脚固定用ベルト４２におけるそれぞれのバックル４２ａ，４２ｂを係合させる。同時に、各第２三脚固定用ベルト４２の長さ調節を同様に行う。このようにして、図３に示すように、本実施形態のバックパック１の前部の所定の部位に対し、三脚１０２が取り付けられる。
【００４９】
このようにして三脚１０２が取り付けられた上記バックパック１を、使用者が背中に背負ったときには、当該三脚１０２の重量による負荷は、主に図３に示す矢印Ｔに示す方向にかかる。使用者が上記バックパック１を背負うとき、上記負荷Ｔは、第１三脚固定用ベルト４１及び一対のショルダストラップ３１を介して使用者の両肩にかかる。
【００５０】
以上説明したように上記一実施形態によれば、バックパック１において、第１三脚固定用ベルト４１と、ショルダストラップ３１のトップスタビライザ３２との各一部を補強ベルト４３の一部に固定して構成している。そして、第１三脚固定用ベルト４１，トップスタビライザ３２は、補強ベルト４３に対して交差するように配置している。つまり、第１三脚固定用ベルト４１とトップスタビライザ３２とは、補強ベルト４３を介して連結されている状態となるように構成されている。
【００５１】
したがって、この構成により、三脚１０２の重量によって生じる図３の矢印Ｔ方向への負荷は、一対のショルダストラップ３１へと効率よく伝達することができる。つまり、三脚１０２の重量により生じる負荷Ｔの方向と、一対のショルダストラップ３１により引っ張る力量Ｓ（図３参照）の方向とを、ほぼ直線となるような構成を実現したので、力の伝達を効率よく行うことができる。これによって、使用者が当該バックパック１を背中に背負うとき、当該使用者にかかる負担を軽減することができる。
【００５２】
また、バックパック１に対して重量物である三脚１０２が不安定な状態で取り付けられていると、使用者が当該バックパック１を背負って歩行する際には、三脚１０２がバックパック１の揺れとは別方向、例えば横方向（図３の矢印Ｘ方向）に振れてしまい、使用者に対して不要な負荷がかかることがある。
【００５３】
しかしながら、本実施形態の構成によれば、バックパック１の前部の所定の部位に対して三脚１０２を確実にかつ安定した状態で固定することができる。したがって、これにより、取り付けられた三脚１０２の不安定さを抑止することができると共に、使用者にかかる負担を軽減することができる。
【００５４】
さらに、三脚１０２が取り付けられた上記バックパック１を、使用者が手提げ用把手ベルト３３を用いて手に提げて運搬するときには、当該バックパック１の重量による負荷は、鉛直方向（図３の矢印Ｇ方向）にかかる。
【００５５】
本実施形態のバックパック１においては、手提げ用把手ベルト３３の両端部が補強ベルト４３にそれぞれ固定された構成としている。したがって、この構成により、使用者が手提げ用把手ベルト３３を用いて手に提げて運搬するときにも、バックパック１の重量を効率的に伝達することができ、使用者の手にかかる負荷を軽減することができる。
【００５６】
また、補強ベルト４３は、収納本体部１１の側面及び上面を取り巻くように配置すると共に、この補強ベルト４３に手提げ用把手ベルト３３を繋げて構成している。このとき、バックパック１の重量がかかる重力方向Ｇと、使用者がバックパック１の手提げ用把手ベルト３３を手に持って下げる方向（引っ張る方向Ｈ）とを、ほぼ直線となるように構成したので、力の伝達を効率よく行うことができる。つまり、使用者がバックパック１を手提げ用把手ベルト３３を用いて手提げ運搬するときに、手提げ用把手ベルト３３がバックパック１を引っ張る力量を補強ベルト４３が分散する。これよって、当該使用者の手にかかる負担を軽減することができると共に、手提げ用把手ベルト３３の耐久性の向上に寄与することができ、さらに、バックパック１の収納本体部１１の型崩れ防止にも寄与することができる。
【００５７】
次に、本実施形態のバックパック１の内部構造の概略を、以下に説明する。図４は、本実施形態のバックパックの開口（スライドファスナー）を全開状態とし、蓋部を開位置に配置したときのようすを示す外観斜視図である。なお、図４においては、収納本体部の内部にカメラ等を収納固定した状態を二点鎖線によって仮想的に示している。また、図４においては蓋部の一部の図示を省略している。図５は、本実施形態のバックパックにおいて、収納本体部の内部にカメラ等を収納固定した状態（図４参照）のバックパックを使用者が背負っている状態を示す概念図である。図６は、図５の側面からみたようすを示す概念図である。
【００５８】
収納本体部１１の収納空間２（図４参照）における背面側の内面には、複数の固定ベルト４７が設けられている。この一対の固定ベルト４７は、中程の部位が上記収納本体部１１の内面に固定されていて、少なくとも両端部に面ファスナーを有して形成されるベルト形状の部材である。
【００５９】
本実施形態において、上記複数の固定ベルト４７は、バックパック１が通常使用状態とされたときに、収納本体部１１の背面において、底部と上部とを結び、水平方向の略中央部分を貫く仮想線（図４の符号Ａ参照）上に所定間隔をおいて配設されている。本実施形態においては、複数の固定ベルト４７として、二本配設した例を示している。
【００６０】
このように設けられた複数の固定ベルト４７は、収納本体部１１の収納空間２（図４参照）内にカメラ１００等を固定するための固定用部材である。即ち、図４に示すように、収納本体部１１の収納空間２（図４参照）内に収納されたカメラ１００に装着されたレンズ鏡筒１０１の鏡筒周りに、上記複数の固定ベルト４７のそれぞれを巻回させ、両端の面ファスナーを互いに締結させる。これにより、当該カメラ１００及びレンズ鏡筒１０１を収納本体部１１の内部で固定することができるように構成されている。
【００６１】
このとき、上記カメラ１００及び上記レンズ鏡筒１０１は、収納本体部１１の内部において、カメラ１００は底面を上記収納本体部１１の背面に沿わせて配置され、レンズ鏡筒１０１も収納本体部１１の背面に沿うように配置され、かつ光軸が上記仮想線Ａに沿うように配置される。そして、当該バックパック１の下部側にカメラ１００が配置され、上部側にレンズ鏡筒１０１が配置されている。なお、図示を省略しているが、収納本体部１１の内部には、複数の隔壁部材が設けられ、この隔部材が例えばカメラ１００の背面や側面を覆うように配置される。これにより、カメラ１００及びレンズ鏡筒１０１の固定を補助するものとする。これら複数の隔壁部材は、従来構成のバックパックやカメラ収納用バッグにおいては一般に適用されている部材である。
【００６２】
このようにして、レンズ鏡筒１０１が装着されたカメラ１００は、収納本体部１１の内部に収納され、上記複数の固定ベルト４７等を用いて固定される。この状態のバックパック１を使用者が背中に背負う通常使用状態としたときには、図５，図６に示すように、当該レンズ鏡筒１０１が収納本体部１１の内部において略鉛直状態に配置される状態となる。
【００６３】
この場合において、上記複数の固定ベルト４７は、収納本体部１１の内部に収納する重量物であるレンズ鏡筒１０１を装着したカメラ１００を、バックパック１の背面寄りの部位に安定した状態で確実に固定することができる。このとき、収納本体部１１の内部に収納する重量物（レンズ鏡筒１０１を装着したカメラ１００；以下カメラ１００等という）は、当該バックパック１の使用状態時において、図６の符号Ｌで示す距離が小さいほど（換言すると、使用者の背中に近い側に配置されるほど）、バックパック１の振れを抑止することができ、よって、使用者への負担を軽減することができることは周知である。
【００６４】
したがって、上記複数の固定ベルト４７を設け、この複数の固定ベルト４７を用いて収納本体部１１の内部に収納する重量物（カメラ１００等）を、収納本体部１１の背面側に固定することによって、使用者への負荷を軽減することができる。
【００６５】
さらに、収納本体部１１の内部において、重量のある収納物（カメラ１００等）が不安定に移動してしまうと、使用者に不要な負荷がかかることになる。しかし、本実施形態においては、上記複数の固定ベルト４７を設け、この複数の固定ベルト４７を用いて重量のある収納物（カメラ１００等）を確実に固定することによって、収納本体部１１の内部の収納物を安定した状態で固定することができるので、使用者への負荷を軽減することができる。
【００６６】
なお、この場合において、カメラ１００に装着されるレンズ鏡筒１０１は、長くて重量のあるレンズ、具体的には例えば長焦点で大口径のズームレンズ等であればより効果的である。
【００６７】
ところで、上述したように、本実施形態のバックパック１は、収納本体部１１と蓋部１２とをスライドファスナー２１，２２によって開閉することができるように構成されている。
【００６８】
ここで、例えば、スライドファスナー２１，２２に破損等が生じた場合、収納本体部１１の開口３（スライドファスナー２１，２２）を閉状態とすることができず、よって、蓋部１２を閉位置に配置することができなくなるようなことが起こり得る。このような場合、即ち蓋部１２が閉位置で固定できない状態で、当該バックパック１を通常使用状態にすると、収納本体部１１の内部に収納した収納物は開口３から落下してしまうことになってしまう。図７は、本実施形態のバックパックにおいて、蓋部と収納本体部とのスライドファスナーが破損した際のようすを示す概念図である。
【００６９】
このような場合において、本実施形態のバックパック１は、サイドコンプレッションベルト４４と第２三脚固定用ベルト４２とを用いることによって、蓋部１２の閉位置を、暫定的に維持することができるように構成されている。
【００７０】
図８は、本実施形態のバックパックにおいて、蓋部と収納本体部とのスライドファスナーが破損した場合（図７参照）に、サイドコンプレッションベルトと第２三脚固定用ベルトとを用いて蓋部の閉位置を維持しているようすを示す概念図である。
【００７１】
例えば、当該バックパック１において、スライドファスナー２１，２２の破損が生じて収納本体部１１の開口３を閉状態とすることができなくなった場合、図８に示すように、第２三脚固定用ベルト４２の一方（図８では右方）のベルト部材のバックル（雌）４２ｂと、一側面（図８では右側面）のサイドコンプレッションベルト４４のバックル（雄）４４ａとを締結する。同様に、第２三脚固定用ベルト４２の他方（図８では左方）のベルト部材のバックル（雄）４２ａ（図８では不図示；図１参照）と、他側面（図８では左側面）のサイドコンプレッションベルト４４（図８では不図示）のバックル（雌）４４ｂ（図８では不図示；図１参照）とを締結する。
【００７２】
これによって、蓋部１２を、収納本体部１１の開口３を覆う位置に配置して、その位置で固定することができる。この状態は、蓋部１２の完全な閉位置を確保し得るものではないが、収納本体部１１の開口３を暫定的に覆うことができ、よって、収納本体部１１の内部の収納物の落下を防ぐことができる状態を確保することができる。
【００７３】
このように、本実施形態のバックパック１は、例えば、出先においてスライドファスナー２１，２２が破損して、蓋部１２を閉状態とすることができなくなったような場合にも、サイドコンプレッションベルト４４と第２三脚固定用ベルト４２とを用いることで蓋部１２の閉位置を暫定的に維持することができる。したがって、バックパック１を使用不能にすることなく、出先で応急的に対応し、当該バックパック１を使用しつつ無事に戻ってくることができる。この場合、第２三脚固定用ベルト４２の一方を蓋部１２の閉位置を維持するために用いるので、これを本来の用途、即ち三脚を固定する用途に使用することはできない。
【００７４】
しかしながら、本実施形態のバックパック１においては、三脚を固定するための部材としては、第１三脚固定用ベルト４１と、第２三脚固定用ベルト４２の他方と、三脚受用袋状部材４５を有しているので、バックパック１に三脚を固定することに支障はない。
【００７５】
また、スライドファスナー２１，２２が破損する等により、サイドコンプレッションベルト４４と第２三脚固定用ベルト４２とを用いて蓋部１２の閉位置を暫定的に維持する場合においても、第１三脚固定用ベルト４１と第２三脚固定用ベルト４２の他方とを用いて当該バックパック１の所定の部良いに三脚を取り付けた状態とすれば、蓋部１２の閉位置をより確実に維持することが可能となる。
【００７６】
そして、破損したスライドファスナー２１，２２は、出先より戻ってから、再度、完全な形態に修理すればよい。これにより、所定の機能を回復させることができる。
【００７７】
本考案は上述した実施形態に限定されるものではなく、考案の主旨を逸脱しない範囲内において種々の変形や応用を実施し得ることが可能であることは勿論である。さらに、上記実施形態には、種々の段階の考案が含まれており、開示される複数の構成要件における適宜な組み合わせによって、種々の考案が抽出され得る。例えば、上記一実施形態に示される全構成要件から幾つかの構成要件が削除されても、考案が解決しようとする課題が解決でき、考案の効果が得られる場合には、この構成要件が削除された構成が考案として抽出され得る。さらに、異なる実施形態にわたる構成要素を適宜組み合わせてもよい。この考案は、添付のクレームによって限定される以外にはそれの特定の実施態様によって制約されない。
【符号の説明】
【００７８】
１……バックパック
２……収納空間
３……開口
１１……収納本体部
１２……蓋部
１３……上部サブバッグ
１４……フロントポケット
１５……第２三脚固定用ベルト収納部
１６……左サイドポケット
１７……左サイド開口蓋部
１７ａ……網ポケット
１７ｂ……右側網ポケット
１８……底部ポケット
１８ａ……ゴム足
１８ｂ……スライドファスナー
２１……本体側スライドファスナー
２２……蓋側スライドファスナー
２３ａ……上部サブバッグ用第１スライドファスナー
２３ｂ……上部サブバッグ用第２スライドファスナー
２４……フロントポケット用スライドファスナー
２５……第２三脚固定用ベルト収納部用スライドファスナー
２６……左サイドポケット用スライドファスナー
２７……左サイド開口用スライドファスナー
３１……ショルダストラップ
３２……トップスタビライザ
３３……手提げ用把手ベルト
３４……チェストベルト
３５……ウエストベルト
４１……第１三脚固定用ベルト
４１ａ，４２ａ，４４ａ……バックル（雄）
４１ｂ，４２ｂ，４４ｂ……バックル（雌）
４２……第２三脚固定用ベルト
４３……補強ベルト
４４……サイドコンプレッションベルト
４５……三脚受用袋状部材
４７……固定ベルト
１００……カメラ
１０１……レンズ鏡筒
１０２……三脚
【図１】
0003207460.tif 000003
【図２】
0003207460.tif 000004
【図３】
0003207460.tif 000005
【図４】
0003207460.tif 000006
【図５】
0003207460.tif 000007
【図６】
0003207460.tif 000008
【図７】
0003207460.tif 000009
【図８】
0003207460.tif 000010